(57)【要約】      （修正有）【課題】光通信装置の制御や利得が異なるアンプモジュールの切り替えを行う技術を提供する。【解決手段】光通信システムは、第１の光通信装置から第２の光通信装置へ複数の波長の光信号を多重して送信する光通信システムにおいて、第１の光通信装置は、第２の光通信装置を制御するための制御コマンドを予め設定された波長の組み合わせに変換するコマンド変換手段と、コマンド変換手段で変換された波長の組み合わせの光信号を第２の光通信装置に送信する送信手段とを有し、第２の光通信装置は、第１の光通信装置から受信する光信号に含まれる波長を検出する波長検出手段と、波長検出手段が検出した波長の組み合わせに対応する制御コマンドに変換するコマンド解析手段と、コマンド解析手段により解析された制御コマンドに基づく制御を実行する制御手段とを有する。【選択図】図６
2014165635.tif 000002
【特許請求の範囲】
【請求項１】
第１の光通信装置から第２の光通信装置へ複数の波長の光信号を多重して送信する光通信システムにおいて、
前記第１の光通信装置は、
前記第２の光通信装置を制御するための制御コマンドを予め設定された波長の組み合わせに変換するコマンド変換手段と、
前記コマンド変換手段で変換された前記波長の組み合わせの光信号を前記第２の光通信装置に送信する送信手段と
を有し、
前記第２の光通信装置は、
前記第１の光通信装置から受信する光信号に含まれる波長を検出する波長検出手段と、
前記波長検出手段が検出した前記波長の組み合わせに対応する前記制御コマンドに変換するコマンド解析手段と、
前記コマンド解析手段により解析された前記制御コマンドに基づく制御を実行する制御手段と
を有する
ことを特徴とする光通信システム。
【請求項２】
請求項１記載の光通信システムにおいて、
前記第２の光通信装置は、
増幅率の異なる複数の光増幅器と、
前記複数の光増幅器を切り替える光スイッチと
を更に有し、
前記制御手段は、前記第１の光通信装置から受信する前記波長の組み合わせに基づいて前記光スイッチにより前記光増幅器を選択する
ことを特徴とする光通信システム。
【請求項３】
下位側光通信装置から波長多重された光信号を受信し、受信した光信号に含まれる波長を検出する波長検出手段と、
前記波長検出手段が検出した前記波長の組み合わせに対応する予め設定された制御コマンドに変換するコマンド解析手段と、
前記コマンド解析手段により解析された前記制御コマンドに基づく制御を実行する制御手段と
を有する
ことを特徴とする光通信装置。
【請求項４】
請求項３記載の光通信装置において、
増幅率の異なる複数の光増幅器と、
前記複数の光増幅器を切り替える光スイッチと
を更に有し、
前記制御手段は、前記下位側光通信装置から受信する前記波長の組み合わせに基づいて前記光スイッチを制御して、前記光増幅器を選択する
ことを特徴とする光通信装置。
【請求項５】
第１の光通信装置から第２の光通信装置へ複数の波長の光信号を多重して送信する光通信システムにおける光通信制御方法であって、
前記第１の光通信装置は、前記第２の光通信装置を制御するための制御コマンドを予め設定された波長の組み合わせに変換し、変換された前記波長の組み合わせに基づく光信号を前記第２の光通信装置に送信し、
前記第２の光通信装置は、前記第１の光通信装置から受信する光信号に含まれる波長を検出し、検出した前記波長の組み合わせに対応する前記制御コマンドに変換し、変換された前記制御コマンドに基づく制御を実行する
ことを特徴とする光通信制御方法。
【請求項６】
請求項５記載の光通信制御方法において、
前記第２の光通信装置は、前記波長の組み合わせに対応する前記制御コマンドに基づいて増幅率の異なる複数の光増幅器のいずれかを光スイッチにより切り替える
ことを特徴とする光通信制御方法。
【発明の詳細な説明】
【技術分野】
【０００１】
本発明は、光通信システム、光通信装置および光通信制御方法に関する。
【背景技術】
【０００２】
近年、光通信システムとして、異なる波長の光信号を多重して通信を行うＷＤＭ（Wavelength Division Multiplexing）システムが普及している。ＷＤＭシステムは、複数のチャネルの光信号を波長多重するので、高速で大容量の通信を実現できる。ＷＤＭシステムで用いられる光通信装置（ＷＤＭ装置）は、伝送区間の伝送損失に合わせて最適なレベルの光信号を送信することが求められる（例えば、特許文献１参照)。伝送区間の伝送損失に対して過大または過小なレベルの光信号は、Ｓ／Ｎ（Signal/Noise）比が劣化する原因になる。例えば、ＷＤＭ装置のアンプモジュールの出力レベルが大きいほどＳ／Ｎ比が劣化するため、伝送損失が小さい短距離の伝送区間では、利得の小さいアンプモジュールが使用されている。逆に、伝送損失が大きい長距離の伝送区間では、利得の大きいアンプモジュールが使用されている。
【先行技術文献】
【特許文献】
【０００３】
【特許文献１】特開２０１０−０９７９８７号公報
【発明の概要】
【発明が解決しようとする課題】
【０００４】
システム事業者は、利得が異なる複数のアンプモジュールを準備して、ＷＤＭ装置を設置する時に伝送路の条件に合わせて適切な利得のアンプモジュールを選択することが行われている。このため、システム事業者は、ＷＤＭ装置を設置する時に伝送路の条件を実測してからアンプモジュールの製造を手配したり、予備品として複数の利得のアンプモジュールの在庫を抱えている。また、システム事業者は、使用するアンプモジュールの利得を決めるために、伝送路の損失値（ロス値）を計測する。伝送路のロス値は、実際の伝送路に測定器を接続して測定されるので、測定に手間や時間がかかるという問題がある。
【０００５】
本件開示の光通信システム、光通信装置および利得制御方法は、光通信装置の制御や利得が異なるアンプモジュールの切り替えを行う技術を提供することを目的とする。
【課題を解決するための手段】
【０００６】
一つの観点によれば、光通信システムは、第１の光通信装置から第２の光通信装置へ複数の波長の光信号を多重して送信する光通信システムにおいて、第１の光通信装置は、第２の光通信装置を制御するための制御コマンドを予め設定された波長の組み合わせに変換するコマンド変換手段と、コマンド変換手段で変換された波長の組み合わせの光信号を第２の光通信装置に送信する送信手段とを有し、第２の光通信装置は、第１の光通信装置から受信する光信号に含まれる波長を検出する波長検出手段と、波長検出手段が検出した波長の組み合わせに対応する制御コマンドに変換するコマンド解析手段と、コマンド解析手段により解析された制御コマンドに基づく制御を実行する制御手段とを有することを特徴とする。
【０００７】
一つの観点によれば、光通信装置は、下位側光通信装置から波長多重された光信号を受信し、受信した光信号に含まれる波長を検出する波長検出手段と、波長検出手段が検出した波長の組み合わせに対応する予め設定された制御コマンドに変換するコマンド解析手段と、コマンド解析手段により解析された制御コマンドに基づく制御を実行する制御手段とを有することを特徴とする。
【０００８】
一つの観点によれば、光通信制御方法は、第１の光通信装置から第２の光通信装置へ複数の波長の光信号を多重して送信する光通信システムにおける光通信制御方法であって、第１の光通信装置は、第２の光通信装置を制御するための制御コマンドを予め設定された波長の組み合わせに変換し、変換された波長の組み合わせに基づく光信号を第２の光通信装置に送信し、第２の光通信装置は、第１の光通信装置から受信する光信号に含まれる波長を検出し、検出した波長の組み合わせに対応する制御コマンドに変換し、変換された制御コマンドに基づく制御を実行することを特徴とする。
【発明の効果】
【０００９】
本件開示の光通信システム、光通信装置および光通信制御方法は、光通信装置の制御や利得が異なるアンプモジュールの切り替えを行うことができる。
【図面の簡単な説明】
【００１０】
【図１】光通信システムの一実施形態を示す図である。
【図２】ＷＤＭの波長スペクトルと波長の組み合わせの一例を示す図である。
【図３】波長の組み合わせの一例を示す図である。
【図４】増幅率が固定のアンプを有するＷＤＭ装置の一例を示す図である。
【図５】本実施形態に係るＷＤＭ装置の一例を示す図である。
【図６】アンプモジュール切り替え機能を有するＷＤＭ装置の一例を示す図である。
【発明を実施するための形態】
【００１１】
以下、図面を用いて実施形態を説明する。 
【００１２】
図１は、光通信システムの一実施形態を示す。本実施形態では、光通信システムとして、ＷＤＭシステム１００について説明する。
【００１３】
図１において、ＷＤＭシステム１００は、ＷＤＭ装置１０１ａ、ＷＤＭ装置１０１ｂ、ＷＤＭ装置１０１ｃ、ＷＤＭ装置１０１ｄ、ＷＤＭ装置１０１ｅおよびＷＤＭ装置１０１ｆがリング状の光伝送路１０２で接続されている。ここで、以降の説明において、ＷＤＭ装置１０１ａからＷＤＭ装置１０１ｆまでの装置に共通の事項を説明する場合は符号末尾のアルファベットを省略してＷＤＭ装置１０１と表記する。また、特定のＷＤＭ装置１０１を示す場合はアルファベットを付加して例えばＷＤＭ装置１０１ａのように表記する。
【００１４】
ＷＤＭシステム１００は、波長が異なる複数の光信号を多重して通信を行うシステムである。図１の例において、ＷＤＭ装置１０１ａに接続される送信器１５１は、波長λ１の光信号を光伝送路１０２送信する。波長λ１の光信号は、ＷＤＭ装置１０１ｂ、ＷＤＭ装置１０１ｃおよびＷＤＭ装置１０１ｄを介してＷＤＭ装置１０１ｅまで送信され、ＷＤＭ装置１０１ｅに接続される受信器１５３で受信される。また、ＷＤＭ装置１０１ａに接続される送信器１５２は、波長λ２の光信号を光伝送路１０２送信する。波長λ２の光信号は、ＷＤＭ装置１０１ｂ、ＷＤＭ装置１０１ｃ、ＷＤＭ装置１０１ｄおよびＷＤＭ装置１０１ｅを介してＷＤＭ装置１０１ｆまで送信され、ＷＤＭ装置１０１ｆに接続される受信器１５４で受信される。
【００１５】
このように、ＷＤＭシステム１００は、異なる波長の複数の光信号を多重して通信を行うことができる。
【００１６】
ここで、図１において、オペレータは、ＷＤＭ装置１０１ａに接続される制御端末１６１から制御コマンドを入力して、ＷＤＭ装置１０１ａからＷＤＭ装置１０１ｆまでの６台のＷＤＭ装置１０１を制御する。本実施形態では、ＷＤＭ装置１０１ａは、制御端末１６１から入力される制御コマンドを予め決められた波長の組み合わせに変換し、変換後の波長の組み合わせに対応する波長の光信号を送信する。尚、ＷＤＭ装置１０１が送信する光信号は、無変調の光信号で、受信側で信号の有無が判別できればよい。
【００１７】
図２は、ＷＤＭの波長スペクトルと波長の組み合わせの一例を示す。図２（ａ）は、ＷＤＭシステム１００の波長スペクトルの一例を示し、図２（ｂ）は、波長の組み合わせによる制御コマンドの一例を示す。図２（ａ）において、ＷＤＭシステム１００は、例えば波長λ１から波長λ８までの８つの異なる波長の光信号を多重して通信を行う。図２（ｂ）において、ＷＤＭ装置１０１は、例えばλ１の光信号とλ２の光信号の波長の組み合わせを用いて制御コマンドを送信する。
【００１８】
図３は、波長の組み合わせの一例を示す。例えば、図３（ａ）において、波長λ１と波長λ２の組み合わせは、ＷＤＭ装置１０１をリセットするためのｒｅｓｅｔコマンドである。また、波長λ１と波長λ３の組み合わせは、ＷＤＭ装置１０１の動作を停止させるためのｓｈｕｔｄｏｗｎコマンドである。同様に、波長λ１と波長λ４の組み合わせは、ＷＤＭ装置１０１に増幅率が異なる複数のアンプモジュール３０１が搭載される場合に、複数のアンプモジュール３０１のうちＡＭＰａに切り替える場合の制御コマンドである。また、波長λ１と波長λ５の組み合わせは、ＷＤＭ装置１０１の複数のアンプモジュール３０１のうちＡＭＰｂに切り替える場合の制御コマンドである。さらに、波長λ７と波長λ８の組み合わせは、制御コマンドが割り当てられておらず、予備として確保されている。図３（ｂ）は、制御コマンドを実行する装置を示す識別子を波長の組み合わせで表す場合の一例を示している。尚、ＷＤＭシステム１００内のＷＤＭ装置１０１は、装置を示す唯一の番号やコードなどの識別子が割り当てられている。そして、ＷＤＭ装置１０１は、制御コマンドを送信する時に、当該制御コマンドを実行する対象となる宛先のＷＤＭ装置１０１を示す識別子を制御コマンドと共に送信する。例えば、図３（ｂ）において、ＷＤＭ装置１０１ａを示す識別子は、波長λ３１と波長λ３２の組み合わせの光信号に変換される。同様に、ＷＤＭ装置１０１ｂを示す識別子は、波長λ３１と波長λ３０の組み合わせの光信号に変換される。
【００１９】
ここで、図３（ａ）および図３（ｂ）では、２種類の波長の光信号を組み合わせる例を示したが、組み合わせる波長の数は３種類以上であってもよいし、波長λ１、波長λ２のように連続する波長でなくてもよい。例えば、波長λ１と波長λ３と波長λ７の３種類の波長の組み合わせを制御コマンドに割り当ててもよい。
【００２０】
図４は、増幅率が固定のアンプを有するＷＤＭ装置９０１の一例を示す。ＷＤＭ装置９０１は、可変減衰器２０１と、波長分波器２０２と、光分岐挿入器２０３と、波長合波器２０４と、アンプモジュール２０５と、トランスポンダ部２０６と、送受信制御処理部９０２とを有する。
【００２１】
可変減衰器２０１は、例えばＶＯＡ（Variable Optical Attenuator）が用いられ、受信する光信号の減衰量を変えることができる。
【００２２】
波長分波器２０２は、例えばＡＷＧ（Arrayed Wavegude Grating）が用いられ、波長多重された光信号を波長毎に分波する。図４の例では、波長分波器２０２は、波長λ１から波長λ３２までの３２種類の波長の光信号に分離して光分岐挿入器２０３に出力する。
【００２３】
光分岐挿入器２０３は、波長分波器２０２から入力する波長λ１から波長λ３２までの３２種類の波長の光信号を波長合波器２０４に出力するか、トランスポンダ部２０６に出力するかを切り替える。また、光分岐挿入器２０３は、波長分波器２０２から入力する波長λ１から波長λ３２までの３２種類の波長の光信号またはトランスポンダ部２０６から入力する波長λ１から波長λ３２までの３２種類の波長の光信号を波長合波器２０４に出力する。
【００２４】
波長合波器２０４は、光分岐挿入器２０３から出力される波長λ１から波長λ３２までの３２種類の波長の光信号を合成（合波と称する）してアンプモジュール２０５に出力する。
【００２５】
アンプモジュール２０５は、製造時に予め決められた固定の増幅率（利得）Ｇの増幅器である。
【００２６】
トランスポンダ部２０６は、波長λ１から波長λ３２までの３２種類の波長の光信号を送受信する複数の光送受信回路（トランスポンダと称する）を有する。例えば図４において、トランスポンダ２０６ａは波長λ１の光信号を送受信し、トランスポンダ２０６ｂは波長λ２の光信号を送受信する。同様に、トランスポンダ２０６ｃは波長λ３１、トランスポンダ２５４は波長λ３２、の光信号をそれぞれ送受信する。そして、トランスポンダ部２０６は、波長毎に送受信データをユーザ側の装置との間で入出力する。
【００２７】
送受信制御処理部９０２は、ＷＤＭ装置９０１の送受信動作を制御する処理を行う。例えば、送受信制御処理部９０２は、ＬＡＮ（Ｌｏｃａｌ  Ａｒｅａ  Ｎｅｔｗｏｒｋ）で制御端末１６１に接続され、オペレータが制御端末１６１に入力する制御コマンドにより、ＷＤＭ装置９０１の各部の設定や制御を行う。例えば、可変減衰器２０１の減衰量の設定、光分岐挿入器２０３から出力する波長の選択や入力する波長の選択などを行う。
【００２８】
図４に示したＷＤＭ装置９０１において、アンプモジュール２０５は、伝送路の伝送損失に合わせて最適な増幅率が選択される。アンプモジュール２０５の増幅率が適切ではない場合、光信号のＳｉｇｎａｌ／Ｎｏｉｓｅ比（Ｓ／Ｎ比）が劣化するため、伝送損失の小さい伝送区間には増幅率の低いアンプモジュール２０５を使用して、Ｓ／Ｎ比の劣化を抑えている。また、伝送損失の大きな伝送区間には長距離伝送を行うために増幅率の高いアンプモジュール２０５が使用される。
【００２９】
ここで、伝送損失は、伝送路の長さや種類などの伝送路条件に応じて設定通りにならないことが多く、ＷＤＭ装置９０１を設置して計測することが行われている。
【００３０】
ところが、アンプモジュール２０５の増幅率Ｇは固定なので、システム管理者は、増幅率Ｇが異なるアンプモジュール２０５を予備品として在庫を抱えておくか、伝送路条件が確定してからアンプモジュール２０５の製造を手配するなどの対応を取っている。
【００３１】
尚、ＷＤＭ装置９０１のアンプモジュール２０５の増幅率を決めるために、保守者は、実際の伝送路に測定器を接続して、伝送路情報（伝送損失値）を計測するので、測定に手間や時間がかかるという問題がある。
【００３２】
そこで、本実施形態に係るＷＤＭシステム１００は、様々な増幅率の複数のアンプモジュール２０５を搭載して、対向するＷＤＭ装置１０１から適切な増幅率のアンプモジュール２０５の選択できるようになっている。
【００３３】
図５は、本実施形態に係るＷＤＭ装置１０１の一例を示す。尚、図５において、図４と同符号のものは、図４と同一又は同様のものを示す。
【００３４】
図５において、図４と異なる部分として、トランスポンダ部２０６と光分岐挿入器２０３との間に光カプラ２５７が配置されている。また、光カプラ２５７は、トランスポンダ部２０６から光分岐挿入器２０３への送信経路（ａｄｄ）に波長毎に配置されている。そして、専用送信部２５６は、送受信制御処理部２５５から指定された波長λ１から波長λ３２までの光信号を光カプラ２５７に出力する。送受信制御処理部２５５は、図４に示した送受信制御処理部９０２の機能を含み、制御端末１６１の指令に基づいて、ＷＤＭ装置１０１の各部の動作を制御する。図４に示した送受信制御処理部９０２と異なる部分は、制御端末１６１から指示される制御コマンドを波長λ１から波長λ３２までの光信号のいずれかの組み合わせに変換し、変換された組み合わせの波長の光信号を専用送信部２５６から出力する。専用送信部２５６から出力される光信号は、光カプラ２５７でトランスポンダ部２０６から出力される光信号に合成され、光分岐挿入器２０３に入る。光分岐挿入器２０３は、送受信制御処理部２５５の制御により、波長合成器２０４に出力され、光カプラ２５１およびアンプモジュール２０５を経由して対向装置に送信される。
【００３５】
ここで、送受信制御処理部２５５は、制御コマンドを実行する宛先の装置を示す番号やコードなどの識別子を制御コマンドと同様に波長の組み合わせに変換して、制御コマンドと共に送信する。例えば制御コマンドを実行する宛先の装置の識別子が波長λ３１と波長λ３２との組み合わせに対応し、制御コマンド（リセットコマンド）が波長λ１と波長λ２の組み合わせに対応する場合、送受信制御処理部２５５は、次のように制御コマンドを送信する。例えば、送受信制御処理部２５５は、波長λ３１と波長λ３２との組み合わせの光信号を送信後に波長λ１と波長λ２の組み合わせの光信号を送信する。或いは、送受信制御処理部２５５は、波長λ１、波長λ２、波長λ３１および波長λ３２の４つの波長の光信号を同時に送信する。これにより、リセットコマンドは、波長λ３１と波長λ３２との組み合わせが示す識別子に対応するＷＤＭ装置１０１で実行され、中継する他の識別子のＷＤＭ装置１０１では実行されない。
【００３６】
このようにして、ＷＤＭ装置１０１は、制御端末１６１から指令される制御コマンドを送信側の対向する装置に送信することができる。
【００３７】
一方、ＷＤＭ装置１０１は、対向する装置から受信する光信号を可変減衰器２０１を介して受信する。受信した光信号は、波長分波器２０２で波長λ１から波長λ３２までの光信号に分離され、光分岐挿入器２０３に出力される。送受信制御処理部２５５は、光分岐挿入器２０３を制御して、トランスポンダ部２０６側に分岐する波長の光信号を選択する。分岐する光信号が無い場合（中継する場合）、光分岐挿入器２０３は、波長分波器２０２から受信する波長λ１から波長λ３２までの光信号を波長合成器２０４に出力する。波長合成器２０４は、光分岐挿入器２０３が出力する異なる波長の光信号を合成して光カプラ２５１に出力する。光カプラ２５１は、波長合成器２０４が出力する光信号をアンプモジュール２０５と波長検出部２５２の両方に出力する。
【００３８】
波長検出部２５２は、光カプラ２５１から入力する光信号に含まれる波長を検出する。例えば波長検出部２５２は、波長合成器２０４が出力する光信号に波長λ１と波長λ２の２つの波長の光信号が含まれていることをコード解析部２５３に出力する。
【００３９】
コード解析部２５３は、コードテーブル２５４を参照して、波長検出部２５２が検出した波長の組み合わせに対応する制御コマンドを解析する。例えば、波長λ１と波長λ２の組み合わせに対応する制御コマンドがＷＤＭ装置１０１をリセットする制御コマンドであった場合、コード解析部２５３は、リセットコマンドを受信したことを送受信制御処理部２５５に通知する。
【００４０】
送受信制御処理部２５５は、ＷＤＭ装置１０１の送信動作および受信動作を制御する。例えば、送受信制御処理部２５５は、光分岐挿入器２０３で分岐または挿入する波長を設定したり、可変減衰器２０１の減衰量を制御する。また、送受信制御処理部２５５は、コード解析部２５３が解析した制御コマンドに応じた処理を実行する。尚、送受信に関係する制御コマンドは、送受信制御処理部２５５で処理を行い、ＷＤＭ装置１０１全体の動作を制御する制御コマンドの場合は、メイン制御部２５８に制御コマンドを転送して、メイン制御部２５８が制御コマンドを実行する。例えば、可変減衰器２０１の減衰量を制御する制御コマンドの場合は、送受信制御処理部２５５が可変減衰器２０１の減衰量を制御する。そして、リセットコマンドの場合は、送受信制御処理部２５５は、メイン制御部２５８にリセットコマンドを転送して、メイン制御部２５８がＷＤＭ装置１０１をリセットする。尚、制御コマンドは、上記のリセットコマンド以外のコマンドでも構わず、例えばＷＤＭ装置１０１の動作を停止するシャットダウンコマンドなどでもよい。いずれの場合でも、コード解析部２５３は、波長の組み合わせに対応する制御コマンドをコードテーブル２５４を参照して、解析する。尚、コードテーブル２５４には、自装置を示す番号やコードに対応する波長の組み合わせも予め記憶されている。例えば、自装置は、波長λ３１と波長λ３２の組み合わせで表すことが記憶されている。これにより、下位側の装置から受信した光信号の波長の組み合わせにより、送受信制御処理部２５５は、自装置宛の制御コマンドであるか否かを判別できる。尚、波長λ１から波長λ３２までのうち、波長λ１から波長λ１６までを制御コマンド用、波長λ１７から波長λ３２までを装置の識別子用、のように決めておいてもよい。これにより、先ず、波長λ１７から波長λ３２までの波長の組み合わせで自装置宛の制御コマンドであるか否かを判別し、自装置宛ではない場合、制御コマンドの解析処理を省略できるので、処理時間を短縮することができる。
【００４１】
ここで、図５に示したＷＤＭ装置１０１は、上位側の同様の機能を有する装置に制御コマンドを送信する回路と、下位側の同様の機能を有する装置から制御コマンドを受信する回路と、の両方を搭載しているが、いずれか一方の回路を搭載してもよい。例えば、図１に示したＷＤＭ装置１０１ａに制御コマンドを送信する回路を搭載し、ＷＤＭ装置１０１ｂに制御コマンドを受信する回路を搭載してもよい。この場合、ＷＤＭ装置１０１ａに接続される制御端末１６１から入力される制御コマンドは、予め決められた波長の組み合わせの光信号に変換されてＷＤＭ装置１０１ｂに送信され、ＷＤＭ装置１０１ｂで制御コマンドが実行される。
【００４２】
また、図５に示したＷＤＭ装置１０１において、専用送信部２５６から送信される制御コマンドを示す光信号は、光カプラ２５１を介して波長検出部２５２で受信される。しかし、先に説明したように、制御コマンドには、宛先の装置を示す番号やコードが付加されており、送受信制御処理部２５５は、自装置宛ではない制御コマンドであることがわかるので、この制御コマンドを実行しない。
【００４３】
このようにして、本実施形態に係るＷＤＭ装置１０１は、ＷＤＭシステム１００で使用される複数の波長の光信号を利用して、波長の組み合わせで制御コマンドや宛先の装置を表して送信する。これにより、本実施形態に係るＷＤＭシステム１００は、ＷＤＭ通信で用いられる波長の光信号とは別に専用の信号を設けることなく、光伝送路１０３により接続されたＷＤＭ装置１０１を制御することができる。
【００４４】
図６は、アンプモジュール切り替え機能を有するＷＤＭ装置１０１の一例を示す。尚、図６において、図５と同符号のものは、図５と同一又は同様のものを示す。
【００４５】
図６において、図５に示したアンプモジュール２０５の代わりに、アンプモジュール３０１ａ、アンプモジュール３０１ｂ、アンプモジュール３０１ｘなどの複数の増幅器が配置されている。ここで、以降の説明において、アンプモジュール３０１ａからアンプモジュール３０１ｘまでの各増幅器に共通の事項を説明する場合は符号末尾のアルファベットを省略してアンプモジュール３０１と表記する。また、特定のアンプモジュール３０１を示す場合はアルファベットを付加して例えばアンプモジュール３０１ａのように表記する。
【００４６】
ここで、複数のアンプモジュール３０１は、それぞれ増幅率が異なる。例えば、アンプモジュール３０１ａの増幅率はＧａ、アンプモジュール３０１ｂの増幅率はＧｂ、アンプモジュール３０１ｘの増幅率はＧｘである。そして、アンプモジュール３０１ａ、アンプモジュール３０１ｂ、アンプモジュール３０１ｘの順番に増幅率が大きくなっていく。尚、図６では、アンプモジュール３０１ａ、アンプモジュール３０１ｂ、アンプモジュール３０１ｘの３台のアンプモジュール３０１を描いてあるが、増幅率が異なる複数のアンプモジュール３０１であれば同様に適用できる。
【００４７】
複数のアンプモジュール３０１は、光スイッチ３０２と合成回路３０３との間に配置され、送受信制御処理部２５５は、光スイッチ３０２により、使用するアンプモジュール３０１を選択する。また、光スイッチ３０２は、送受信制御処理部２５５により制御される。そして、複数のアンプモジュール３０１がそれぞれ出力する複数の光信号は、合成回路３０３で合成され、光伝送路１０２に出力される。尚、合成回路３０３の代わりに、光スイッチ３０２と同様の光スイッチを配置して、光伝送路１０２に出力するアンプモジュール３０１を選択できるようにしてもよい。この場合、送受信制御処理部２５５は、光スイッチ３０２で選択したアンプモジュール３０１が出力する光信号を光伝送路１０２に出力するように制御する。
【００４８】
図３（ｂ）は、波長の組み合わせによる制御コマンドの一例を示す。尚、図３（ａ）と同じ波長の組み合わせは、同じ制御コマンドに対応する。図３（ｂ）において、波長λ１と波長λ４の組み合わせは、光スイッチ３０２をアンプモジュール３０１ａ側に切り替える制御コマンドである。同様に、波長λ１と波長λ５の組み合わせは、光スイッチ３０２をアンプモジュール３０１ｂ側に切り替える制御コマンドである。
【００４９】
このようにして、本実施形態に係るＷＤＭシステム１００は、様々な増幅率の複数のアンプモジュール３０１を搭載し、下位側のＷＤＭ装置１０１から送信される波長の組み合わせによる制御コマンドにより適切な増幅率のアンプモジュール３０１を選択できる。
【００５０】
これにより、増幅率Ｇが異なる様々な種類のアンプモジュール２０５を予備品として用意したり、伝送路条件が確定してからアンプモジュール２０５の製造を手配するなどの課題を解決できる。
【００５１】
尚、保守者は、光伝送路１０２の伝送損失を実測して、実測された伝送損失に基づいて最適な増幅率のアンプモジュール３０１を選択する制御コマンドを対象とするＷＤＭ装置１０１に送信する。例えば、図１において、先ず、保守者は、ＷＤＭ装置１０１ａとＷＤＭ装置１０１ｂとの間の光伝送路１０２の伝送損失を実測する。そして、ＷＤＭ装置１０１ａに接続された制御端末１６１からＷＤＭ装置１０１ｂに波長の組み合わせによる制御コマンドを送信して、ＷＤＭ装置１０１ｂのアンプモジュール３０１を選択する。次に、保守者は、ＷＤＭ装置１０１ｂとＷＤＭ装置１０１ｃとの間の光伝送路１０２の伝送損失を実測する。そして、ＷＤＭ装置１０１ａに接続された制御端末１６１からＷＤＭ装置１０１ｃに波長の組み合わせによる制御コマンドを送信して、ＷＤＭ装置１０１ｃのアンプモジュール３０１を選択する。同様に、ＷＤＭ装置１０１ｄ、ＷＤＭ装置１０１ｅのアンプモジュール３０１も選択する。このようにして、保守者は、順番にＷＤＭ装置１０１のアンプモジュール３０１の選択を行い、最終的に全ネットワークの接続が可能となる。
【００５２】
以上、説明したように、本実施形態に係るＷＤＭシステム１００は、波長の組み合わせによって制御コマンドを送信し、対向する装置の制御を行うことができる。また、本実施形態に係るＷＤＭシステム１００は、波長の組み合わせによる制御コマンドを利用して、増幅率が異なる複数のアンプモジュール３０１の切り替えを行うことができる。これにより、伝送区間の伝送損失に合わせて最適な増幅率のアンプモジュール３０１を選択できる。
【００５３】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５４】
１００・・・ＷＤＭシステム；１０１，９０１・・・ＷＤＭ装置；１０２・・・光伝送路；１５１・・・送信器；１５２・・・送信器；１５３・・・受信器；１５４・・・受信器；１６１・・・制御端末；２０１・・・可変減衰器；２０２・・・波長分波器；２０３・・・光分岐挿入器；２０４・・・波長合波器；２０５，３０１・・・アンプモジュール；２０６・・・トランスポンダ部；２０７，２５５・・・送受信制御処理部；２５１，２５２，２５３，２５４・・・トランスポンダ；２５６・・・専用送信機；２５７・・・光カプラ；２５８・・・メイン制御部；３０２・・・光スイッチ；３０３・・・合成回路
【図１】
2014165635.tif 000003
【図２】
2014165635.tif 000004
【図３】
2014165635.tif 000005
【図４】
2014165635.tif 000006
【図５】
2014165635.tif 000007
【図６】
2014165635.tif 000008